(57)【要約】【課題】特にＺ型ブロックを対象として、複数個を同時に吊り上げながら簡単かつ安定的に上下反転させられるブロックの吊り上げ装置を提供すること。【解決手段】略門形の主枠体Ａと、略逆門形の副枠体Ｂを主要部材として、主枠体Ａの内側において副枠体Ｂが回動するよう構成し、副枠体Ｂにおける２本の支持ロッド６ａ，６ｂを、中空鞘管６１ａ，６１ｂと、該中空鞘管に内挿され長手方向に移動しうるスライド棒６２ａ，６２ｂと、該スライド棒から立設され前記中空鞘管の開口窓６１１ａ，６１１ｂを経て外部に突出する挟持腕８ａ〜８ｈとから形成して、前記主枠体Ａの一方側を前方側の支持ロッド６ａにおけるスライド棒６２ａに連動させつつ、前記主枠体Ａの他方側を後方側の支持ロッド６ｂにおけるスライド棒６２ｂに連動させることによって、前記挟持腕をブロックのウエブ部に位置させながら主枠体Ａを吊り上げた際には２本の挟持腕によってブロックのウエブ部を挟持させる。【選択図】　　　図１
2004091097.tif 000002
【特許請求の範囲】
【請求項１】
水平ロッドの両端から各々下方に支持アームが延設された略門形の主枠体と、対向配置された２つの回動軸受部材間に前後２本の平行な支持ロッドを有する副枠体とからなり、前記左右の回動軸受部材がそれぞれ前記左右の支持アームに軸着されることにより主枠体の内側において副枠体が回動するよう構成されたものであって、前記各支持ロッドが、中空鞘管と、該中空鞘管に内挿され長手方向に移動しうるスライド棒と、該スライド棒から立設され中空鞘管の開口窓を経て外部に突出する複数の挟持腕とからなり、前記主枠体における支持アームの一方側を連動手段を用いて前方側の支持ロッドにおけるスライド棒に連動させつつ、前記主枠体における支持アームの他方側も連動手段を用いて後方側の支持ロッドにおけるスライド棒に連動させることによって、前記挟持腕をブロックのウエブ部に位置させながら主枠体を吊り上げた際には２本の挟持腕によってブロックのウエブ部を挟持させるよう構成されてなるブロックの吊り上げ装置。
【請求項２】
副枠体における回動軸受部材が、主枠体の支持アームに対する回動軸を介して、前後２本の支持ロッドが固定された側とは反対側にバランスウエイトを備えていることを特徴とする請求項１記載のブロックの吊り上げ装置。
【発明の詳細な説明】
【０００１】
【発明の属する技術分野】
本発明は、とくにＺ型ブロックと称される複数個のコンクリートブロックを同時に吊り上げて、吊り上げたコンクリートブロックの上下方向を一度に反転することができるブロックの吊り上げ装置に関する。
【０００２】
【従来の技術】
型枠を用いて形成されるコンクリートブロックは、その製法に由来して化粧面が下側になった状態で形成されるため、脱型後の保管・運搬から施工現場への積み降ろしに至るまで、一貫して化粧面を下側にして扱われるのが通例であった。しかるに、コンクリートブロックの設置に際しては化粧面が上側を向くように上下方向を反転しなければならないが、重量のあるコンクリートブロックの上下反転作業は容易ではなく、土木作業における過酷な労働の一つとなっていた。
【０００３】
そこで、コンクリートブロックを吊り上げた際に、その姿勢を簡単に変えられる吊上げ装置が提案されている。例えば、特開２００１−２３３５８１では、吊上げ枠に回転軸を軸架し、この回転軸とコンクリートブロックを挟持する一対の挟持部材とを並行リンク機構により連結して、ハンドルを回して回転軸を回転することにより前記挟持部材を回転させ、コンクリートブロックの姿勢変更を可能にした吊上げ装置が開示されている。また、特開２００１−３１１２１１に開示された反転機構具は、主枠体の両端に設けた支持腕体に対してＵ字溝の両端部を係合保持する係合手段を軸支し、係合手段を軸回転させることにより底面部を上方にして定置されていた長尺なＵ字溝の上下を反転できるよう形成されている。
【０００４】
【発明が解決しようとする課題】
しかしながら、前記Ｕ字溝の反転機構具は、長尺なＵ字溝を１個ずつ上下反転するものであり、Ｚ型ブロックやＩ型ブロックの複数個を同時に上下反転することはできなかった。また、前記並行リンク機構を用いた吊上げ装置では複数個を同時に回転させることができるものの、コンクリートブロックの一側面に形成された突部と凹部に対して挟持部材を引っ掛けているだけであるので、コンクリートブロックの側面凹部が細く絞られたウエブ部として形成されたＺ型ブロックやＩ型ブロックの場合には回転作業時にコンクリートブロックがずれてしまい、安定した回転作業、ひいては上下反転作業を行うことができない欠点があった。
【０００５】
そこで、本発明者らは、胴部中央が細く絞られたウエブ部として形成されているＺ型ブロックやＩ型ブロックを対象として、このコンクリートブロックの複数個を同時に吊り上げながら、簡単かつ安定的に上下方向を反転することができるブロックの吊り上げ装置について検討することとした。
【０００６】
【課題を解決するための手段】
前記所期の課題解決のために、本発明に係るブロックの吊り上げ装置は、水平ロッドの両端から各々下方に支持アームが延設された略門形の主枠体と、対向配置された２つの回動軸受部材間に前後２本の平行な支持ロッドを有する副枠体を主要な構成部材として、副枠体における左右の回動軸受部材がそれぞれ主枠体における左右の支持アームに軸着されることにより主枠体の内側において副枠体が回動するよう構成し、前記各支持ロッドを、中空鞘管と、該中空鞘管に内挿され長手方向に移動しうるスライド棒と、該スライド棒から立設され中空鞘管の開口窓を経て外部に突出する複数の挟持腕とから形成して、前記主枠体の一方側を連動手段を用いて前方側の支持ロッドにおけるスライド棒に連動させつつ、前記主枠体の他方側も連動手段を用いて後方側の支持ロッドにおけるスライド棒に連動させることによって、前記挟持腕をブロックのウエブ部に位置させながら主枠体を吊り上げた際には２本の挟持腕によってブロックのウエブ部を挟持させるよう構成した。
【０００７】
Ｚ型ブロック等には細くくびれたウエブ部があるので、このウエブ部を挟持腕によって保持することにより、上下反転動作時の安定操作を実現したのである。とくに、Ｚ型ブロック等自体の重量を利用しながら主枠体の上下動に連動して挟持腕が開閉するので、クレーン等により装置を吊り上げた際には挟持腕間が閉まる一方、装置を降ろしてブロックを接地させた際には挟持腕間が元通りに開いてコンクリートブロックから装置を容易に取り外すことができる。
【０００８】
請求項２に記載した発明では、前記ブロックの吊り上げ装置において、副枠体における回動軸受部材が、主枠体における支持アームに対する回動軸を介して、前後２本の支持ロッドの固定されている側と反対側にバランスウエイトを備えるよう構成した。
【０００９】
回動軸受部材は、回動軸を中心として回動自在に構成されているが、前後２本の支持ロッドが存在する側が極端に重くなると回動操作に支障をきたすので、支持ロッドの重量に見合ったバランスウエイトを、回動軸を介して前記支持ロッドの反対側に設けることで、適切な重量配分による副枠体の安定的な回動操作を実現したのである。
【００１０】
【発明の実施の形態】
以下、図面に基づいて本発明を詳細に説明する。図１は本発明に係るブロックの吊上げ装置の一例を示した正面図、図２は同平面図である。図示されるように、本発明に係るブロックの吊上げ装置は、略門形をした主枠体Ａと、該主枠体Ａの内側において両側をそれぞれ回動軸で連結されて水平方向に回動する副枠体Ｂとから構成され、主枠体Ａの上部において左右一対に設けられたワイヤ連結部１１，　１１間にワイヤＷを掛け渡して、このワイヤＷをクレーン等で吊り上げながら使用される。
【００１１】
主枠体Ａは、長尺な角パイプからなる水平ロッド１の両端から各々下方に支持アーム２，２が延設された略門形をしており、左右の各支持アーム２，２の外側に設けられた保護ケース３内に収容された連動手段を介して最終的に副枠体Ｂと軸着されている。
【００１２】
図３は図１において左側に位置する支持アーム付近の一部破断拡大正面図であり、図４は同拡大側面図であって、いずれも保護ケースを取り外して連動手段を露出させた状態を示している。図示されるように、支持アーム２は、上部支持アーム２１と下部支持アーム２２の２部材を上下方向に連結してなるもので、上部支持アーム２１内に固着されたガイド板２１１において上下方向の長孔として左右に２個並んで穿設されたガイド孔２１２，　２１２内を下部支持アーム２２側のボルト２２１，　２２１がスライド移動することにより、上部支持アーム２１と下部支持アーム２２とが連結状態を維持されたまま上下方向にスライドし当接・離脱するよう構成されている。
【００１３】
下部支持アーム２２の円滑な上下動を図るため、上部支持アーム２１の前後にはそれぞれ下端が外方に開いた摺動ガイド板２１３，　２１３が垂下固着されている。さらに、図３において、下部支持アーム２２の上端内側に設けられた突起は、不用意な降下を防止するべく上部支持アーム２１から垂下されたストッパ１２と係合する係止突起２１４であって、装置の中程から左右方向にそれぞれ張設された操作ワイヤ１３を装置の内側方向に引くと、軸１２１によって水平ロッド１に軸着されたストッパ１２が操作ワイヤ１３に連動して装置の内側方向に回動移動し、前記係止突起２１４との係合が解除されるよう構成されている。
【００１４】
図３及び図４に示された例の連動手段は、上端が水平ロッド１の端部に固着されて支持アーム２に沿ってやや装置の外方に屈曲しながら垂下された操作アーム３１と、該操作アーム３１の下端と下部支持アーム２２より外方に突設された支持部２２２の２カ所においてそれぞれ軸着されてなる逆Ｌ字形のリンクアーム３２から構成されており、該リンクアーム３２の下端部分に設けられた透孔（図示されていない）が、後述する副枠体Ｂにおける回動軸受部材５を経て下部支持アーム２２における軸受２２３より外方に突出した操作ロッド７ａの先端に遊嵌されている。
【００１５】
図５は下部支持アームが降下した状態の図３相当一部破断拡大正面図であり、図６は同様に下部支持アームが降下した状態の図４相当拡大側面図である。図示されるように、水平ロッド１の吊り上げに伴って上部支持アーム２１が上昇する結果として下部支持アーム２２が降下すると、下部支持アーム２２上に突設された支持部２２２も付随して降下するので、該支持部２２２と操作アーム３１下端の２カ所において軸着されている逆Ｌ字形のリンクアーム３２の下端部分が装置の外方向へと移動する結果、下部支持アーム２２における軸受２２３に挿通され副枠体Ｂにおける回動軸受部材５を軸支する回動軸２２４に内挿された操作ロッド７ａも装置の外方向へとスライドする。
【００１６】
図７は図１の例のブロック吊り上げ装置における副枠体の平面図であり、図８は同副枠体の左側面図である。本例の副枠体Ｂは、左右に対向配置された２つの回動軸受部材５，５の間に前後２本の平行な支持ロッド６ａ，６ｂを備えてなるもので、正面視略逆門形に形成されている。前述のように、左右の回動軸受部材５，５は、回動軸２２４によって主枠体Ａにおける支持アーム２，２（正確には下部支持アーム２２，　２２）に軸着されており、支持アーム２，２間、すなわち主枠体Ａの内側において副枠体Ｂが回動するよう構成されている。
【００１７】
副枠体Ｂにおける前後２本の支持ロッド６ａ，６ｂは、それぞれ中空鞘管６１ａ，６１ｂと、該中空鞘管６１ａ，　６１ｂに内挿されて長手方向、つまり図１，図２又は図７において左右方向に移動しうるスライド棒６２ａ，　６２ｂとから構成されている。そして、本例の吊り上げ装置では、Ｚ型ブロックであれば２個を一組として同時に８個を上下反転しうるように、前側の支持ロッド６ａにおいて４個、後側の支持ロッド６ｂにおいて４個の挟持腕８ａ〜８ｈが立設されている。これら各挟持腕８ａ〜８ｈは、スライド棒６２ａ，　６２ｂから立設された直角三角形状の支柱８１ａ〜８１ｈと、該支柱８１ａ〜８１ｈの移動方向に垂直な挟持板８２ａ〜８２ｈとからなり、前記支柱８１ａ〜８１ｈは、その移動量分に応じた長孔として中空鞘管６１ａ，　６１ｂに穿設された開口窓６１１ａ，　６１１ｂを経て外部に突出している。
【００１８】
一方、これら挟持腕８ａ〜８ｈとは別に、図７に示されるように、前側の支持ロッド６ａの左端付近と後側の支持ロッド６ｂの右端付近において、それぞれ略三角形状の板状材からなる連結柱９ａ，９ｂが立設されている。これら連結柱９ａ，９ｂもまたスライド棒６２ａ，　６２ｂから立設されてなり、中空鞘管６１ａ，　６１ｂに穿設された開口窓６１１ａ，　６１１ｂを経て外部に突出して、連結柱９ａは操作ロッド７ａと、連結柱９ｂは操作ロッド７ｂと、それぞれ連結されている。したがって、操作ロッド７ａが装置の外方向に移動すると、連結柱９ａが図７中左方向に移動することによりスライド棒６２ａも左方向に移動し、ひいては挟持腕８ｅ，８ｆ，８ｇ，８ｈも左方向に移動する。他方、操作ロッド７ｂが装置の外方向に移動すると、連結柱９ｂが図７中右方向に移動することによりスライド棒６２ｂも右方向に移動し、ひいては挟持腕８ａ，８ｂ，８ｃ，８ｄも右方向に移動する。その結果、挟持腕８ａと挟持腕８ｅとの間、挟持腕８ｂと挟持腕８ｆとの間、挟持腕８ｃと挟持腕８ｇとの間、そして挟持腕８ｄと挟持腕８ｈとの間がそれぞれ狭くなり、各挟持腕の間に位置していたＺ型ブロック等のウエブ部が２本の挟持腕によって強固に保持されることになる。
【００１９】
本例の副枠体Ｂでは、左右両端に位置する回動軸受部材５，５において、主枠体Ａの支持アーム２，２に対する回動軸２２４より下側に前後２本の支持ロッド６ａ，６ｂが固定されているので、これら支持ロッド６ａ，６ｂ側に重量が偏在してしまい、副枠体Ｂの円滑な回動操作が妨げられるおそれがある。そこで、支持ロッド６ａ，６ｂの重量に見合ったバランスウエイト１０を、前記回動軸２２４を介して支持ロッド６ａ，６ｂとは反対側に設けて重量配分を調整し、主枠体Ａ内側において副枠体Ｂが円滑に回動するようにしている。この場合、支持ロッド６ａ，６ｂ側がバランスウエイト１０側より若干重くなるように設定しておくと、図１に示されるように、不使用時においては副枠体Ｂが主枠体Ａの内側において縦長に収まり、装置全体としてコンパクトで保管し易くなる利点が得られる。
【００２０】
次に、以上のようなブロックの吊り上げ装置を用いたＺ型ブロックの上下反転作業を説明する。先ずクレーンを用いて主枠体Ａの左右両端付近に掛止したワイヤＷによって装置全体を吊り上げ（図１参照）、副枠体Ｂにおける挟持腕８ａ〜８ｈが上方を向いた装置の収容状態から、これら挟持腕８ａ〜８ｈが略水平方向を向くように、副枠体Ｂを約９０°回動させる。この回動操作は、装置が宙吊りになった状態のまま、支持ロッド６ａ，６ｂの外側に突設されたハンドル１５を用いて行うとよい。
【００２１】
一方、Ｚ型ブロックは出荷時より一貫して化粧面が下側を向いた状態で取り扱われ、施工現場に搬入された際にも整列された状態にあるから、化粧面を下側（地面側）にして２個ずつ背中合わせにし、１列に並べたＺ型ブロック８個を一組として、ハンドル１５を持って装置を水平移動させながら、装置の挟持腕８ａ〜８ｈを各ブロック間に挿入する。図９は８個のＺ型ブロックＣ１〜Ｃ８に対して装置の副枠体Ｂを横方向から挿入した状態を示す斜視図であり、このセット完了状態において図１に示される左右２個のレバー１４，１４を操作し、操作ワイヤ１３，１３によりストッパ１２，１２を解除する。ストッパ１２，１２が解除されると、装置の吊り上げに伴い主枠体Ａにおける下部支持アーム２２，２２が上部支持アーム２１，２１と離隔する結果、前述のように連動手段を介して前後２本の支持ロッド６ａ，６ｂに設けられた挟持腕８ａ〜８ｈがスライドし、背中合わせにした２個のＺ型ブロックＣ１，Ｃ２が挟持腕８ａと挟持腕８ｅによって、同様に背中合わせにしたＺ型ブロックＣ３，Ｃ４が挟持腕８ｂと挟持腕８ｆによって、同じく背中合わせにしたＺ型ブロックＣ５，Ｃ６が挟持腕８ｃと挟持腕８ｇによって、そして同じく背中合わせにしたＺ型ブロックＣ７，Ｃ８が挟持腕８ｄと挟持腕８ｈによって、それぞれ挟持される。
【００２２】
これらＺ型ブロックＣ１〜Ｃ８の反転作業は、各Ｚ型ブロックＣ１〜Ｃ８が脱落しないように、副枠体Ｂの支持ロッド６ａ，６ｂが下側に位置するように、すなわち挟持腕８ａ〜８ｈが上側に位置するように、図１０に示す状態を経て副枠体Ｂを１８０°半回転させることにより行う。
【００２３】
こうしてＺ型ブロックＣ１〜Ｃ８の化粧面が上方を向いたら、装置を降下させてＺ型ブロックＣ１〜Ｃ８を接地させる。さらに装置を降下させて主枠体Ａにおける下部支持アーム２２，　２２を上部支持アーム２１，　２１に当接させると、挟持腕８ａ〜８ｈが元の状態に復帰し、Ｚ型ブロックＣ１〜Ｃ８の各ウエブ部を挟持していた状態も解消される。同時に係止突起２１４，　２１４にストッパ１２，　１２が係合されて挟持腕８ａ〜８ｈの復帰状態が維持されるから、ハンドル１５，　１５を持って副枠体ＢをＺ型ブロックＣ１〜Ｃ８から引き抜きながら離脱させることによってＺ型ブロックＣ１〜Ｃ８の上下反転作業が一気に完了する（図１１）。
【００２４】
【発明の効果】
本発明に係るブロックの吊り上げ装置によれば、同時に複数個のＺ型ブロック等のウエブ部を強固に挟持させながらも副枠体の支持ロッドで落下防止を図りつつ、簡単かつ安定した状態でブロックの上下反転作業を行うことができる。そして、こうした上下反転作業は、ブロックを吊り上げてから降ろすまでの一連の動作の中で行うことができるから、作業員の労働負担軽減のみならず、作業の省力化と作業時間の短縮化を図ることができる。
【００２５】
とくに、副枠体における回動軸受部材にバランスウエイトを設けておくと、副枠体の円滑な回動動作と、不使用時におけるコンパクトな収容が実現する利点がある。
【図面の簡単な説明】
【図１】本発明に係るブロックの吊り上げ装置の一例を示した正面図である。
【図２】図１の装置の平面図である。
【図３】図１の装置において左側に位置する支持アーム付近の保護ケースを取り外した状態の一部破断拡大正面図である。
【図４】図１の装置において左側に位置する支持アーム付近の保護ケースを取り外した状態の拡大側面図である。
【図５】下部支持アームを降下させた状態の図３相当一部破断拡大正面図である。
【図６】下部支持アームを降下させた状態の図４相当拡大側面図である。
【図７】図１の例のブロック吊り上げ装置における副枠体の平面図である。
【図８】同副枠体の左側面図である。
【図９】２個ずつ背中合わせにした計８個のＺ型ブロックに対して副枠体を横方向から挿入した状態を示す斜視図である。
【図１０】Ｚ型ブロックを挟持した副枠体の回動途中を示す斜視図である。
【図１１】Ｚ型ブロックの上下反転作業が完了した状態を示す斜視図である。
【符号の説明】
Ａ　　主枠体
Ｂ　　副枠体
Ｃ１〜Ｃ８　　Ｚ型ブロック
１　　水平ロッド
２　　支持アーム
５　　回動軸受部材
６ａ，６ｂ　　支持ロッド
８ａ〜８ｈ　　挟持腕
６１ａ，６１ｂ　　中空鞘管
６２ａ，６２ｂ　　スライド棒
２２４　　回動軸
【図１】
2004091097.tif 000003
【図２】
2004091097.tif 000004
【図３】
2004091097.tif 000005
【図４】
2004091097.tif 000006
【図５】
2004091097.tif 000007
【図６】
2004091097.tif 000008
【図７】
2004091097.tif 000009
【図８】
2004091097.tif 000010
【図９】
2004091097.tif 000011
【図１０】
2004091097.tif 000012
【図１１】
2004091097.tif 000013